(57)【要約】  照明装置１０は、対向する一対の面と一対の面１２ａ，１２ｂを接続する端面とを有する透明材料で形成された導光板１１と、導光板１１の一方の面１２ａに設けられ、特殊インクを用いて形成された光を拡散させるためのドット状のシルク印刷パターン１３と、導光板１１の端面に対向する位置に設けられたＬＥＤ光源２０とを含み、シルク印刷パターン１３が設けられた導光板１１の一方面１２ａはそのまま発光面として作用する。
2010150364.tif 000002
【特許請求の範囲】
【請求項１】
対向する一対の面と前記対向する一対の面を接続する端面とを有する透明材料で形成された導光板と、
前記導光板のいずれか一方の面のみ設けられ、特殊インクを用いて形成された光を拡散させるためのドット状のシルク印刷パターンと、
前記導光板の端面に対向する位置に設けられた光源とを含み、
前記シルク印刷パターンが設けられた導光板の一方面はそのまま前記導光板の一方面側において発光面として作用する、照明装置。
【請求項２】
前記シルク印刷パターンは前記導光板の一部のみに設けられる、請求項１に記載の照明装置。
【請求項３】
前記導光板の一部のみに設けられる前記シルク印刷パターンは前記導光板の中央部に設けられる、請求項２に記載の照明装置。
【請求項４】
前記導光板は曲面を有する、請求項１に記載の照明装置。
【請求項５】
前記シルク印刷パターンは広告表示である、請求項１に記載の照明装置。
【請求項６】
前記光源はＬＥＤである、請求項１に記載の照明装置。
【請求項７】
前記導光板はアクリル製である、請求項１に記載の照明装置。
【請求項８】
前記導光板は白ガラスである、請求項１に記載の照明装置。
【発明の詳細な説明】
【技術分野】
【０００１】
この発明は照明装置に関し、特に、透過性を有する照明装置に関する。
【背景技術】
【０００２】
従来の照明装置が、たとえば特開２００７−１４１７３５号公報（以下、「特許文献１」という）や、特開２００７−８０５３１号公報（以下、「引用文献２」という）や、特開平０８−１６０８９２号公報（以下、「引用文献３」という）に開示されている。【０００３】
特許文献１によれば、複数本のプラズマランプを端面に有する導光板と、導光板の両面に設けられた透明なアクリル板とアクリル板の上に設けられた広告メディアとを含む両面発光パネルを開示している。ここでは導光板に使用される透明基板としてはポリメタクリル酸メチル、（メタ）アクリル酸エステル共重合体、ポリカーボネート、ポリスチレン、ポリ塩化ビニル、あるいはガラス等の透明度の高い基板を用い、基板材料中に透明または白色顔料を使用した光拡散材が混入されている。【０００４】
特許文献２によれば、ＬＥＤ照明器具は端面に入射面を有する導光板と、発光面の面方向と入射面との方向が略交差するように配置されたＬＥＤとを含む。この導光板はガラスまたはアクリル等の透光性材料を用いて形成されている。【０００５】
特許文献３によれば、アクリル樹脂等の透光性板からなる導光板の表面に、導光板の一辺に配置されたＬＥＤから離れるほど光を外部に放出する割合が高くなるドットパターン状の発光層を設け、ＬＥＤからの光を一旦導光板のパターン表示部の全面に均一に放射させた後、発光層上のパターンフィルタに描かれている文字、デザインのパターンに応じて不要な光を導光板内へ戻し、必要な文字、デザインを表面に浮かび上がらせる構成を開示している。
【先行技術文献】
【特許文献】
【０００６】
【特許文献１】特開２００７−１４１７３５号公報
【特許文献２】特開２００７−８０５３１号公報
【特許文献３】特開平０８−１６０８９２号公報
【発明の概要】
【発明が解決しようとする課題】
【０００７】
従来の照明装置は上記のように構成されていた。特許文献１に示す照明装置においては、透明度の高い基板を用いているが、基板材料中に透明または白色顔料を使用した光拡散材が混入されているが、輝度が導光板の全面に渡って一定とはなりがたく、また、照明時の照明装置の透光性が低いという問題があった。【０００８】
また、特許文献２によれば、導光板の一方面に反射板が設けられているため、照明装置の透光性が低いという問題があった。【０００９】
また、特許文献３においては、発光層上にパターンフィルタを設けているため導光板の透光性が劣るという問題があった。【００１０】
この発明は上記のような問題点を解消するためになされたもので、十分な透過性を有する照明装置を提供することを目的とする。
【課題を解決するための手段】
【００１１】
この発明に係る照明装置は、対向する一対の面と対向する一対の面を接続する端面とを有する透明材料で形成された導光板と、導光板のいずれか一方の面のみに設けられ、特殊インクを用いて形成された光を拡散させるためのドット状のシルク印刷パターンと、導光板の端面に対向する位置に設けられた光源とを含み、シルク印刷パターンが設けられた導光板の一方面はそのまま導光板の一方面側において発光面として作用する。【００１２】
好ましくは、シルク印刷パターンは導光板の一部のみに設けられる。  【００１３】
さらに好ましくは、一部のみに設けられる印刷パターンは導光板の中央部に設けられる。【００１４】
なお、導光板は曲面を有していてもよい。【００１５】
また、シルク印刷パターンは所定の形状であってもよい。【００１６】
光源はＬＥＤであるのが好ましい。【００１７】
なお、導光板はアクリル製であってもよいし、白ガラスであってもよい。
【発明の効果】
【００１８】
この発明に係る照明装置は、透明材料で形成された導光板を有し、導光板の一方面にのみ特殊インクを用いて形成されたドット状のシルク印刷パターンを設けて導光板全体としての輝度を一定とするとともに、シルク印刷パターンが設けられた導光板の一方面はそのまま導光板の一方面側において発光面として作用するため、光源からの光は導光板を介して拡散されるとともに、十分な透過性を有する。【００１９】
その結果、十分な透過性を有する照明装置を提供できる。
【図面の簡単な説明】
【００２０】
【図１】この発明の一実施の形態に係る照明装置を示す図である。
【図２】この発明の他の実施の形態に係る照明装置を示す図である。
【図３】この発明のさらに他の実施の形態に係る照明装置を示す図である。
【図４】この発明のさらに他の実施の形態に係る照明装置を示す図である。
【発明を実施するための形態】
【００２１】
以下、この発明の一実施の形態を図面を参照して説明する。図１はこの発明の一実施の形態に係る照明装置１０を示す図である。図１（Ａ）は照明装置１０の断面図（図１（Ｂ）において矢印ＩＡ−ＩＡで示す図）であり、図１（Ｂ）は図１（Ａ）において矢印ＩＢ−ＩＢで示す矢視図である。
【００２２】
図１を参照して、照明装置１０は、一方面１２ａと対向する他方面１２ｂとを有する矩形のガラスまたはアクリル板のような透過性を有する材料で形成された導光板１１と、導光板１１の一方面１２ａ側に設けられた特殊インクで印刷されたドットパターン（ドット状のシルク印刷パターン）１３ａ・・・１３ｄと、導光板１１の一方面及び対向する他方面とを接続する端面に導光板１１に対向した位置に設けられたＬＥＤ光源２０とを含む。
【００２３】
ここで、ドットパターン１３はそこに入射した光を外部へ散乱させるために設けられている。すなわち、ＬＥＤ光源２０から導光板１１に照射された光は導光板１１の一方面および他方面で反射されて図中矢印に示す方向に光を伝播する。このとき、ドットパターン１３に入射した光はその点で外部へ散乱される（図中点線ａで示す）。したがって、このドットパターン１３の設けられた位置から光が外部に放射される。また、ドットパターン１３に入射した光の一部は図中点線ｂで示すように、他方面１２ｂから外部へ照射される。
【００２４】
なお、導光板１１が光源２０から離れた位置まで延在するときは、このドットパターン１３を設ける間隔ｄ１、ｄ２，…はｄ１＜ｄ２＜ｄ３＜…となるように配置される。このようにドットパターン１３を設けることにより、光源２０から離れた位置まで、導光板１１の両面において均一な光量での照射が可能になる。
【００２５】
また、ここでは、ドットパターン１３を一方面１２ａ側にのみ設けたが、他方面１２ｂ側にも設けてもよい。そうすれば、両面での光の照射量が増加するため、より明るい照明装置１０が提供できる。
【００２６】
なお、光源２０は、光源２０の長手方向（図１（Ｂ）において上下方向）に複数のＬＥＤが設けられている。
【００２７】
また、ここでは、ＬＥＤ光源２０は導光板１１の１つの端面に対向した位置に設けたが、これに限らず、複数の端面に対向した位置に設けてもよい。
【００２８】
この実施の形態に係る照明装置１０は、光を照射する導光板１１および印刷保護物１３がガラスまたはアクリル板のような透過性を有する材料で形成され、その一方面１２ａのみに特殊インクで印刷されたドットパターン１３ａ，１３ｂ、…が設けられ、且つ、ドットパターン１３ａ，１３ｂ，…が設けられた面自体が発光面として作用するため、一方面および他方面からの面発光が可能であるとともに、透過性を有する。
【００２９】
その結果、透過性を有する照明装置１０を提供できる。
【００３０】
なお、導光板１１としてガラスを使用する場合は、不純物が少なく、透過性に優れ、且つ透明度の高い、白ガラスを使用するのが好ましい。
【００３１】
次に、この発明の他の実施の形態について説明する。図２はこの発明の他の実施の形態に係る照明装置１０ａを示す図である。図２（Ａ）および（Ｂ）は、先の実施の形態における図１（Ａ）および図１（Ｂ）に対応する。
【００３２】
図２（Ａ），（Ｂ）を参照して、この実施の形態においては、図１の実施の形態とドットパターン１３が設けられる照明領域１４が異なる点が異なる。すなわち、先の実施の形態においては、照明装置１０全体が照明領域であったが、この実施の形態においては、照明装置１０ａの中央部のみに照明領域１４が設けられ、照明領域１４を囲んで透明領域１５が設けられている。それ以外の点については先の実施の形態と同様であるので、図１に対応する部分に図１と同じ参照符号を付して詳細な説明は省略する。
【００３３】
照明装置１０ａをこのような構成とすることにより、導光板１１の全体を照明装置とすることなく、ドットパターンを設けた照明領域１４のみを照明可能な領域とし、それ以外の部分を透明な領域として残すことが可能になる。なお、照明領域１４は導光板１１の中央部に限らず、その任意の一部に設けてもよい。
【００３４】
また、照明領域１４の形状を特定の文字や特定の形状とすることによって、照明装置１０ａ自体を広告装置としても利用可能である。図３はこの場合の構成を示す図であり、図２（Ｂ）に対応する。図３を参照して、この実施の形態においては、照明領域１４に特定の広告文字（ＡＢＣ）１７を表示している。
【００３５】
なお、この広告文字１７を含む広告表示は、この広告自体を発光させてもよいし、この所望の部分のみを発光させてもよいし、ドットパターンを用いて広告を作成しても良いし、照明領域１４の上に所望の広告表示を設けてもよい。
【００３６】
次に、この発明のさらに他の実施の形態について説明する。図４はこの発明のさらに他の実施の形態を示す図であり、先の実施の形態における図２（Ａ）に対応する。図４に示すように、この実施の形態においては、照明装置１０ｃにおいては、導光板１８は曲面を有している。導光板１８が曲面を有しているため、照明領域１４も曲面を有している。
【００３７】
照明装置１０ｃをこのような形状とすることによって、曲面を有する、広告装置として利用可能な照明装置を提供できる。また、図１、図２、および図４に示した照明装置を組み合わせることによって、任意の曲面や平面を有する形状を持つ照明装置が提供できる。
【００３８】
なお、上記実施の形態においては、光源としてＬＥＤを用いた場合について説明したが、これに限らず、蛍光灯や、冷陰極線管等を光源として用いてもよい。
【００３９】
また、上記した照明装置を複数連続して設け、大型の照明装着としたり、所望の広告を表示した照明装着としてもよい。
【００４０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４１】
この発明に係る照明装置は透過性を有するため、照明装置として有利に使用される。
【符号の説明】
【００４２】
１０  照明装置、１１  導光板、１２ａ  一方面、１２ｂ  他方面、１３  ドットパターン、１４  照明領域、１５  透明領域、２０  ＬＥＤ光源。
【図１】
2010150364.tif 000003
【図２】
2010150364.tif 000004
【図３】
2010150364.tif 000005
【図４】
2010150364.tif 000006
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
対向する一対の面と前記対向する一対の面を接続する端面とを有する透明材料で形成された導光板と、
前記導光板のいずれか一方の面のみ設けられ、特殊インクを用いて形成された光を拡散させるためのドット状のシルク印刷パターンと、
前記導光板の端面に対向する位置に設けられた光源とを含み、
前記シルク印刷パターンが設けられた導光板の一方面は、その上に他の部材を設けることなく、そのまま導光板の一方面側において発光面として作用する、照明装置。
【請求項２】
前記シルク印刷パターンは前記導光板の一部のみに設けられる、請求項１に記載の照明装置。
【請求項３】
前記導光板の一部のみに設けられる前記シルク印刷パターンは前記導光板の中央部に設けられる、請求項２に記載の照明装置。
【請求項４】
前記導光板は曲面を有する、請求項１に記載の照明装置。
【請求項５】
前記シルク印刷パターンは広告表示である、請求項１に記載の照明装置。
【請求項６】
前記光源はＬＥＤである、請求項１に記載の照明装置。
【請求項７】
前記導光板はアクリル製である、請求項１に記載の照明装置。
【請求項８】
前記導光板は白ガラスである、請求項１に記載の照明装置。
【国際調査報告】
2010150364.tif 000007
2010150364.tif 000008
2010150364.tif 000009
2010150364.tif 000010